(57)【要約】【課題】簡単な機構で安価な癒やし音の発生ができる癒やし音発生装置を提供する。【解決手段】本発明は、流体を封入した容器と、１個又は複数個の孔を有し、前記容器を２つの区画に仕切る仕切板と、を含み、前記１区画に満たした流体を前記仕切板を通過させて他区画に自然落下させて落下音を発生させるもので、仕切板の１個又は複数個の孔は、１枚の仕切板に形成されるか、複数個の孔を有する複数枚の仕切板を組み合わせて形成され、他区画に自然落下した流体は、自動的にポンプによって他区画から１区画に汲み上げられることを特徴とする。【選択図】図１
2010139660.tif 000002
【特許請求の範囲】
【請求項１】
流体を封入した容器と、
直径が３ｍｍ以上の１個又は複数個の孔を有し、前記容器を２つの区画に仕切る仕切板と、
を含み、
前記１区画に満たした流体を前記仕切板を通過させ、他区画に自然落下させて落下音を発生させることを特徴とする癒やし音発生装置。
【請求項２】
前記１個又は複数個の孔は、１枚の仕切板に形成されるか、複数個の孔を有する複数枚の仕切板を組み合わせて形成されることを特徴とする請求項１記載の癒やし音発生装置。
【請求項３】
前記他区画に自然落下した流体を前記他区画から前記１区画に汲み上げるポンプをさらに備えていることを特徴とする請求項１記載の癒やし音発生装置。
【発明の詳細な説明】
【技術分野】
【０００１】
本発明は癒やし音発生装置に係り、より詳しくは、簡単な機構で催眠効果を発揮する癒やし音発生装置に関する。
【背景技術】
【０００２】
リズム、メロディー、ハーモニーをもつ音楽を聞いたり演奏したりすることにより心身の健康を図る音楽療法があるが、リズム、メロディー、ハーモニーがない単なる音でも心を癒やす効果のある音が存在する。
従来の自然音発生具としては、水時計風の玩具のジョイント装置として公開されている特開２０００−３５４６９０号公報がある。
同報記載の製品では、２つのペットボトルを接続して電池等を使わずに上下逆さまにするだけで下のボトルの空気がボコボコと上のボトルに昇ると同時に、上のボトルの水が下のボトルに流れ落ちるようにしてその水の動きによりボトルの中の浮遊物が乱舞するとともに水の流れ落ちる音が楽しめるというものである。
【０００３】
上記従来の装置は、電気による気泡発生装置を備えた鑑賞用の水槽があつたが、ペットボトル利用の気泡で楽しむ玩具が無かったため開発されたもので、２つの透明容器のキャップの頭部を接着して通気用の太い管と通水用の細い管を挿通して水時計風の玩具にしたものである。
従来の装置では、２つのペットボトルの間に通気用の太い管と通水用の細い管が設けられているが、大小の管を挿入する手間が掛かるとともに管がペットボトル内に突出しているため、管の外周に孔が開けられているとしても、上部ペットボトルからも水が完全に下部のペットボトルに落下しないで中途半端に残るという問題があった。
【０００４】
通気用の太い管と通水用の細い管を設けた理由として、大きい通気孔と小さい通水孔を設けて試みたが良好な結果が得られなかつたこと、通気管と通水管を設けても太さが同じではやはり良好な結果が得られないのに対し、従来の装置では、通水管よりも通気管を太くすることにより良好な結果が得られたものである。
【特許文献１】特開２０００−３５４６９０号公報
【発明の開示】
【発明が解決しようとする課題】
【０００５】
本発明の目的は、簡単な機構で安価な癒やし音の発生ができる癒やし音発生装置の提供を目的とする。
【課題を解決するための手段】
【０００６】
本発明は、流体を封入した容器と、直径が３ｍｍ以上の１個又は複数個の孔を有し、前記容器を２つの区画に仕切る仕切板と、を含み、前記１区画に満たした流体を前記仕切板を通過させ、他区画に自然落下させて落下音を発生させることを特徴とする。
【０００７】
前記他区画に自然落下した流体は、自動的にポンプによって前記他区画から前記１区画に汲み上げられることを特徴とする。
【０００８】
前記仕切板の１個又は複数個の孔は、１枚の仕切板に固定されたものであるか、或いは、複数個の孔を有する複数枚の仕切板を組み合わせて形成されることを特徴とする。
【発明の効果】
【０００９】
本発明によれば、簡単な機構で安価な自然音の発生ができる。
この癒やし音発生装置によれば、これを枕元に置くことで、睡眠を促進する効果が得られる。
また、乳幼児が泣きやまない場合に本発明の癒やし音を聞かせることで、乳幼児がおとなしくなる効果もある。
その他、仕切り板の孔の形状、個数を変更することにより、各種の落下音が簡単に得られる効果もある。
さらに、流体中に流体と比重が同程度の小さな数色の浮遊物を入れ、落ちる水や湧き上がる泡の作用でできる各種模様を楽しむこともできる。
【発明を実施するための最良の形態】
【００１０】
本発明の実施例は、水と空気の入っている容器に上下の仕切を設け、その仕切に１つ以上の孔を開けて水と空気が仕切られた容器内を移動できるようにしたもので、水が仕切の上部から下部に落下するときに、水音が発生する。
従来は、通気孔、通水孔で良好な結果が得られていないが、本発明においては各種の通気、通水孔をあける場合、直径を３ｍｍ以上とすることにより、孔が１個でも複数個でも充分な落下音を発生させることが出来る。
【００１１】
直径３ｍｍ以上であれば、表面張力の影響が消えて水が落下できるとともに、空気が上昇できることによるものと思われる。
本発明によれば、容器内の水の濃度、容器の材質、形状、仕切板の孔の個数、形を工夫することで各種落水音を発生させることができる。
水の代わりにアルコール等の別の液体を入れても良い。
【００１２】
以下、図面を参照して本発明を詳細に説明する。
本発明の癒やし音発生装置は、流体を封入した容器と、１個又は複数個の孔を有し、容器を２つの区画に仕切る仕切板とからなる。
仕切板の１個又は複数個の孔は、１枚の仕切板に固定されたものであるか、或いは、複数個の孔を有する複数枚の仕切板を組み合わせて形成される。
【実施例１】
【００１３】
図１は、本発明の実施例１を示す概略図である。
実施例１は、直径１０ｃｍのプラスチック製の２つの球を上下にして直径６ｃｍ、長さ４ｃｍのプラスチック製の連結管４で繋いだものである。連結管４の中央部には仕切板５が装入され、仕切板５には中央部に直径１０ｍｍの大孔５ａ１個と、大孔５ａの周りに直径６ｍｍの小孔５ｂが３個配置されている。
【００１４】
下部球体３には、フロート６とフロート６に連結されたフロートスイッチ７が設けられるとともに、下部球体３はポンプ８に連結されている。
下部球体３には容積の約２／３〜３／４程度水が入っており、上部球体２からの落水により下部球体３の水位が上昇して一定レベルに到達すると、フロートスイッチ７が作動してポンプ８を起動し、下部球体３内の水を上部球体２に汲み上げる。
下部球体３の水位が一定レベルまで下がると、ポンプ８が作動停止する。
実施例１は、据え置き型の癒やし音発生装置であり、寝室におくことにより睡眠を誘うことのほか、自然の落下音による癒やしが期待できる。
上部球体２と下部球体３の間の仕切板４の孔は、図２に示す通り中央部の大孔５ａの周りに小孔５ｂが３個配置されているが、孔の数、形状はこれに限られるものではなく、好みの落下音を得るために自由に変えることが出来る。
【実施例２】
【００１５】
図３は、本発明の実施例２を示す斜視図である。
実施例２は、直径５ｃｍのプラスチック製の２つの球を上下にして直径３ｃｍ、長さ２ｃｍのプラスチック製の連結管で繋いだものである。連結管４の中央部には仕切板５が装入され、仕切板５には中央部に直径８ｍｍの大孔５ａ１個と、大孔５ａの周りに直径４ｍｍの小孔５ｂが３個配置されている。
実施例２の癒やし音発生装置は、乳児の玩具用であり、２つの球から成る玩具を上下させることにより泣きやまない乳児に癒やし音を聞かせ、泣きやむことや眠りを誘うことができる。
【図面の簡単な説明】
【００１６】
【図１】本発明の実施例１を示す概略図である。
【図２】仕切板の大孔、小孔の例を示す図である。
【図３】本発明の実施例２を示す斜視図である。
【符号の説明】
【００１７】
１  癒やし音発生装置
２  上部球体
３  下部球体
４  連結管
５  仕切板
５ａ  大孔
５ｂ  小孔
６  フロート
７  フロートスイッチ
８  ポンプ
９  汲上管
【図１】
2010139660.tif 000003
【図２】
2010139660.tif 000004
【図３】
2010139660.tif 000005